(57)【要約】【課題】処置具挿通チャンネルを通じて体内汚液等による水撃作用があっても鉗子栓本体から蓋体が外れ難く、しかも蓋体を鉗子栓本体にスムーズに取り付けることができる内視鏡の鉗子栓を提供すること。【解決手段】鉗子栓本体１１の外周面に上端部２８側から次第に径が窄まった逆テーパ筒部２９を形成すると共に、逆テーパ筒部２９に被さる蓋体１２の内周面を、鉗子栓本体１１の上端部２８では鉗子栓本体１１を締め付けず、逆テーパ部では上端部２８から遠ざかるにしたがって鉗子栓本体１１に対する締め付け量が大きくなる逆テーパ孔３０状に形成した。【選択図】      図１
2008148800.tif 000002
【特許請求の範囲】
【請求項１】
基部が内視鏡の処置具挿通チャンネルの入口部分に取り付けられる略円筒状の鉗子栓本体と、上記鉗子栓本体の上端側から上記鉗子栓本体に対し被さった状態に着脱自在に取り付けられる略キャップ状の蓋体とが共に弾力性のある部材により形成されて、上記処置具挿通チャンネルに挿通される処置具により押し開かれる閉鎖膜が上記鉗子栓本体と上記蓋体とに設けられ、上記鉗子栓本体の外周部と上記蓋体の内周部とに、上記蓋体を弾性変形させることにより互いに係脱させることができる抜け止め係合部が形成された内視鏡の鉗子栓において、
上記鉗子栓本体の外周面に上端部側から次第に径が窄まった逆テーパ筒部を形成すると共に、上記逆テーパ筒部に被さる上記蓋体の内周面を、上記鉗子栓本体の上端部では上記鉗子栓本体を締め付けず、上記逆テーパ部では上端部から遠ざかるにしたがって上記鉗子栓本体に対する締め付け量が大きくなる逆テーパ孔状に形成したことを特徴とする内視鏡の鉗子栓。
【請求項２】
上記蓋体に形成された逆テーパ孔のテーパ角が上記鉗子栓本体に形成された逆テーパ筒部のテーパ角より大きな角度である請求項１記載の内視鏡の鉗子栓。
【請求項３】
上記抜け止め係合部が、上記鉗子栓本体の外周部の上記逆テーパ筒部より下方位置に凹んで形成された円周溝と、上記蓋体を弾性変形させることにより上記円周溝に対して係脱させることができるように上記蓋体から内方に向けて突出形成された内方突起とで形成されている請求項１又は２記載の内視鏡の鉗子栓。
【発明の詳細な説明】
【技術分野】
【０００１】
この発明は、内視鏡の処置具挿通チャンネルを通じて体内汚液等が内視鏡外に噴出しないように処置具挿通チャンネルの入口部分を弾力的にシールするための内視鏡の鉗子栓に関する。
【背景技術】
【０００２】
内視鏡の鉗子栓は一般に、例えば図９に示されるように、基部が内視鏡の処置具挿通チャンネル１００の入口口金に取り付けられる略円筒状の鉗子栓本体９１と、その鉗子栓本体９１の上端側から鉗子栓本体９１に対し被さった状態に着脱自在に取り付けられる略キャップ状の蓋体９２とが共に弾力性のある部材により形成されて、処置具挿通チャンネル１００に挿通される処置具によって押し開かれるスリット９３又は小孔９４が形成された閉鎖膜９５，９６が、蓋体９２と鉗子栓本体９１とに設けられている。
【０００３】
そして、蓋体９２を鉗子栓本体９１に着脱自在に係止させるために、鉗子栓本体９１の外周部に円周溝９９が形成されると共に、鉗子栓本体９１の周囲を囲む状態に蓋体９２側から突設された環状壁９７の先端内周部分に、円周溝９９に対して係脱自在な環状の内方突起９８が突出形成され、そのような円周溝９９と内方突起９８とが、蓋体９２を弾性変形させることにより互いに係脱させることができる抜け止め係合部になっている（例えば、特許文献１）。
【特許文献１】特開２００１−２１８７３２
【発明の開示】
【発明が解決しようとする課題】
【０００４】
しかし、上述のような内視鏡の鉗子栓においては、図１０に示されるように、体内から処置具挿通チャンネル１００内を通ってくる体内汚液等の突発的な圧力上昇（いわゆる水撃作用）等により円周溝９９に対する内方突起９８の係合が外れて蓋体９２が鉗子栓本体９１から外れ、汚液が周囲に飛散してしまう場合がある。
【０００５】
その対策としては、抜け止め係合部である内方突起９８と円周溝９９との係合力を大きくして、内方突起９８が円周溝９９から容易に外れないようにすればよいが、単純にそのようにすると鉗子栓本体９１に対する蓋体９２の着脱が困難になって、着脱時に蓋体９２を破損し易くなる等の問題が生じる。
【０００６】
本発明は、処置具挿通チャンネルを通じて体内汚液等による水撃作用があっても鉗子栓本体から蓋体が外れ難く、しかも蓋体を鉗子栓本体にスムーズに取り付けることができる内視鏡の鉗子栓を提供することを目的とする。
【課題を解決するための手段】
【０００７】
上記の目的を達成するため、本発明の内視鏡の鉗子栓は、基部が内視鏡の処置具挿通チャンネルの入口部分に取り付けられる略円筒状の鉗子栓本体と、鉗子栓本体の上端側から鉗子栓本体に対し被さった状態に着脱自在に取り付けられる略キャップ状の蓋体とが共に弾力性のある部材により形成されて、処置具挿通チャンネルに挿通される処置具により押し開かれる閉鎖膜が鉗子栓本体と蓋体とに設けられ、鉗子栓本体の外周部と蓋体の内周部とに、蓋体を弾性変形させることにより互いに係脱させることができる抜け止め係合部が形成された内視鏡の鉗子栓において、鉗子栓本体の外周面に上端部側から次第に径が窄まった逆テーパ筒部を形成すると共に、逆テーパ筒部に被さる蓋体の内周面を、鉗子栓本体の上端部では鉗子栓本体を締め付けず、逆テーパ部では上端部から遠ざかるにしたがって鉗子栓本体に対する締め付け量が大きくなる逆テーパ孔状に形成したものである。
【０００８】
なお、蓋体に形成された逆テーパ孔のテーパ角が鉗子栓本体に形成された逆テーパ筒部のテーパ角より大きな角度であるとよい。また、抜け止め係合部が、鉗子栓本体の外周部の逆テーパ筒部より下方位置に凹んで形成された円周溝と、蓋体を弾性変形させることにより円周溝に対して係脱させることができるように蓋体から内方に向けて突出形成された内方突起とで形成されていてもよい。
【発明の効果】
【０００９】
本発明によれば、鉗子栓本体の外周面に上端部側から次第に径が窄まった逆テーパ筒部を形成すると共に、逆テーパ筒部に被さる蓋体の内周面を、鉗子栓本体の上端部では鉗子栓本体を締め付けず、逆テーパ部では上端部から遠ざかるにしたがって鉗子栓本体に対する締め付け量が大きくなる逆テーパ孔状に形成したことにより、処置具挿通チャンネルを通じて体内汚液等による水撃作用があっても鉗子栓本体から蓋体が外れ難く、しかも蓋体を鉗子栓本体にスムーズに取り付けることができる。
【発明を実施するための最良の形態】
【００１０】
基部が内視鏡の処置具挿通チャンネルの入口部分に取り付けられる略円筒状の鉗子栓本体と、鉗子栓本体の上端側から鉗子栓本体に対し被さった状態に着脱自在に取り付けられる略キャップ状の蓋体とが共に弾力性のある部材により形成されて、処置具挿通チャンネルに挿通される処置具により押し開かれる閉鎖膜が鉗子栓本体と蓋体とに設けられ、鉗子栓本体の外周部と蓋体の内周部とに、蓋体を弾性変形させることにより互いに係脱させることができる抜け止め係合部が形成された内視鏡の鉗子栓において、鉗子栓本体の外周面に上端部側から次第に径が窄まった逆テーパ筒部が形成され、逆テーパ筒部に被さる蓋体の内周面が、鉗子栓本体の上端部では鉗子栓本体を締め付けず、逆テーパ部では上端部から遠ざかるにしたがって鉗子栓本体に対する締め付け量が大きくなる逆テーパ孔状に形成されている。蓋体に形成された逆テーパ孔のテーパ角は、鉗子栓本体に形成された逆テーパ筒部のテーパ角より大きな角度に形成されている。
【実施例】
【００１１】
以下、図面を参照して本発明の実施例を説明する。
図５において、１は、可撓性を有する内視鏡の挿入部、２は、挿入部１の基端に連結された操作部である。
【００１２】
挿入部１内には、図示されていない処置具を挿通するための処置具挿通チャンネル３が全長にわたって挿通配置されていて、操作部２の下端部に配置された処置具挿通チャンネル３の入口開口部には、処置具挿通チャンネル３を通って逆流する体内汚液等が外方に吹き出さないようにするための鉗子栓１０の鉗子栓本体１１が着脱自在に取り付けられている。１２と１４は、後述する蓋体と連結帯状部材である。
【００１３】
図１と図２は、鉗子栓１０の縦断面図と斜視図である。鉗子栓１０は、前述の処置具挿通チャンネルの入口口金に着脱自在に取り付けられる略円筒状に形成された鉗子栓本体１１と、鉗子栓本体１１の上端の突端側入口１５側から鉗子栓本体１１に対し被さった状態に着脱自在に取り付けられる略キャップ状の蓋体１２とを備えていて、全体が弾力性のあるゴム材等によって構成されている。
【００１４】
鉗子栓本体１１の内面の基端寄りの部分には、処置具挿通チャンネル３の入口口金に対して係脱自在な小径部１３が形成されており、小径部１３を弾性変形させて、入口口金を締め付ける状態に取り付け及び取り外すことができる。
【００１５】
蓋体１２は、弾力性のあるゴム材により蓋体１２と一体に形成された連結帯状部材１４で鉗子栓本体１１の基部と連結されていて、図３及び図４にも示されるように、蓋体１２が鉗子栓本体１１から取り外されてもその近くにぶら下げられた状態になるようになっている。
【００１６】
図１に戻って、鉗子栓本体１１内と蓋体１２には、各々閉鎖膜１６，１７が形成されていて、鉗子栓本体１１内の閉鎖膜１６には、処置具挿通チャンネル３に挿通される処置具により押し開かれる小孔１８が形成され、蓋体１２の閉鎖膜１７には、処置具挿通チャンネル３に挿通される処置具により押し開かれるスリット１９が形成されている。
【００１７】
したがって、蓋体１２が鉗子栓本体１１に取り付けられて処置具が使用されない図１に示される状態では、蓋体１２に形成されたスリット１９により、処置具挿通チャンネル内から体内汚液等が噴出しないように封止される。
【００１８】
そして、図示されていない処置具が処置具挿通チャンネル３に挿脱される際には、小孔１８とスリット１９により処置具の外周部との間がシールされ、注射器で処置具挿通チャンネル３内に薬液等を送り込む場合には、蓋体１２の入口部に形成された小径部２０が注射筒の先端部分を締め付けることにより、注射器の支持とシールが行われる。
【００１９】
鉗子栓本体１１の基端寄りの位置の外周部には、円周溝２１が全周にわたって凹んだ状態に形成されている。そして、鉗子栓本体１１の外周を囲む状態に、蓋体１２側に環状壁２２が形成され、円周溝２１に対して全周にわたり係合させることができる環状の内方突起２３が環状壁２２の先端部分の内周部の全周から内方に向けて突出形成されている。内方突起２３は、環状壁２２を弾性変形させて円周溝２１に係脱させることができ、蓋体１２が鉗子栓本体１１から外れるのを防止する抜け止め係合部が円周溝２１と内方突起２３とで構成されている。
【００２０】
鉗子栓本体１１の外周部の上半部は、上端部２８側から次第に径が窄まった逆テーパ筒部２９になっていて、その逆テーパ筒部２９に被さる蓋体１２の内周面（即ち、環状壁２２の内周面の上半部）が、鉗子栓本体１１の上端部２８では鉗子栓本体１１を締め付けず、逆テーパ筒部２９では上端部２８から遠ざかるにしたがって鉗子栓本体１１に対する締め付け量が大きくなる逆テーパ孔部３０になっている。
【００２１】
そのようにするために、図３に示されるように、蓋体１２の逆テーパ孔部３０の上端部の内径Ｄが鉗子栓本体１１の上端部２８の外径ｄと等しいか大きく形成され、逆テーパ孔部３０のテーパ角θ２が逆テーパ筒部２９のテーパ角θ１より大きく形成されている。即ち、Ｄ≧ｄ、且つθ２＞θ１である。
【００２２】
鉗子栓本体１１の外周部の中間部分には、上端部２８より径の大きな大径部２６が形成され、その大径部２６の基部側に隣接して円周溝２１が全周にわたって凹んで形成されている。また、大径部２６の外周部には、蓋体１２の内方突起２３部分が弾性変形してスライドする際に鉗子栓本体１１の外周部と蓋体１２の環状壁２２とで囲まれた空間を外部と連通させる通気溝２７が形成されている。
【００２３】
このように構成された実施例の内視鏡の鉗子栓１０は、図１に示されるように、蓋体１２が鉗子栓本体１１に取り付けられた状態においては、内方突起２３が円周溝２１に係合して鉗子栓本体１１に対する蓋体１２の抜け止めになり、また、鉗子栓本体１１の逆テーパ筒部２９が蓋体１２の逆テーパ孔部３０で締め付けられて、その部分が確実にシールされた状態になっている。
【００２４】
そして、図６に示されるように、鉗子栓１０が処置具挿通チャンネル３の入口口金３ａに取り付けられた使用状態において、処置具挿通チャンネル３を経由する水撃作用等により蓋体１２内の圧力が急上昇すると、蓋体１２を鉗子栓本体１１に対し上方から引っ張りあげようとする強い力が作用するが、それによって、鉗子栓本体１１の逆テーパ筒部２９に対する蓋体１２の逆テーパ孔部３０の締め付け量が益々大きくなる。
【００２５】
その結果、鉗子栓本体１１から蓋体１２が抜け出すのを阻止する抜け止め力として、円周溝２１と内方突起２３との係合力だけでなく、逆テーパ筒部２９に対する逆テーパ孔部３０の締め付け力の増大分が直接作用し、蓋体１２が鉗子栓本体１１から外れない。したがって、水撃作用があっても鉗子栓１０から体内汚液等が噴出しない。
【００２６】
このような鉗子栓１０において、蓋体１２を鉗子栓本体１１に取り付ける際には、図７に示されるように、逆テーパ孔部３０の下端入口部が鉗子栓本体１１の上端部２８を通過する際にやや大きな力を加える必要がある。
【００２７】
しかし、そこさえ通過してしまえば、図８に示されるように、鉗子栓本体１１の逆テーパ筒部２９の径が上端部２８側から窄まっていることにより、逆テーパ孔部３０が逆テーパ筒部２９に沿って容易に下降し、蓋体１２が鉗子栓本体１１に被さった状態になる。
【００２８】
また、蓋体１２を鉗子栓本体１１から取り外す際は、蓋体１２を上方から引っ張りあげるのではなく、下端部の内方突起２３側から押しあげるようにすれば、環状壁２２が樽状に膨らんで容易に取り外すことができる。
【図面の簡単な説明】
【００２９】
【図１】本発明の実施例の内視鏡の鉗子栓の縦断面図である。
【図２】本発明の実施例の内視鏡の鉗子栓の外観斜視図である。
【図３】本発明の実施例の内視鏡の鉗子栓の蓋体が鉗子栓本体から取り外された状態の縦断面図である。
【図４】本発明の実施例の内視鏡の鉗子栓の蓋体が鉗子栓本体から取り外された状態の外観斜視図である。
【図５】本発明の実施例の内視鏡の全体構成を示す側面図である。
【図６】本発明の実施例の内視鏡の鉗子栓に水撃が作用した状態の縦断面図である。
【図７】本発明の実施例の内視鏡の鉗子栓の蓋体を鉗子栓本体に取り付ける際の動作を示す縦断面図である。
【図８】本発明の実施例の内視鏡の鉗子栓の蓋体を鉗子栓本体に取り付ける際の動作を示す縦断面図である。
【図９】従来の内視鏡の鉗子栓の縦断面図である。
【図１０】従来の内視鏡の鉗子栓に水撃が作用した状態の縦断面図である。
【符号の説明】
【００３０】
３  処置具挿通チャンネル
１０  鉗子栓
１１  鉗子栓本体
１２  蓋体
１６  閉鎖膜
１７  閉鎖膜
１８  小孔
１９  スリット
２１  円周溝
２２  環状壁
２３  内方突起
２５  逆テーパ面
２８  上端部
２９  逆テーパ筒部
３０  逆テーパ孔部
ｄ  鉗子栓本体の上端部の外径
Ｄ  逆テーパ孔部の上端部の内径
θ１  逆テーパ筒部のテーパ角
θ２  逆テーパ孔部のテーパ角
【図１】
2008148800.tif 000003
【図２】
2008148800.tif 000004
【図３】
2008148800.tif 000005
【図４】
2008148800.tif 000006
【図５】
2008148800.tif 000007
【図６】
2008148800.tif 000008
【図７】
2008148800.tif 000009
【図８】
2008148800.tif 000010
【図９】
2008148800.tif 000011
【図１０】
2008148800.tif 000012